(57)【特許請求の範囲】
【請求項１】
紙幣を結束する紙幣結束部と、
前記紙幣結束部により結束された紙幣を排出する小束出金口と、
前記紙幣結束部により結束される紙幣が集積される結束紙幣集積部と、
前記結束紙幣集積部に集積された紙幣が結束単位枚数に満たない端数紙幣の場合は、前記結束紙幣集積部に集積されている端数紙幣を非結束状態で排出するよう制御する制御部と、
を備え、
前記結束紙幣集積部の搬送路を形成する集積部搬送ベルトおよび前記紙幣結束部の搬送路を形成する結束部搬送ベルトは、紙幣を搬送する方向に対して略垂直方向に可動であって、
前記制御部は、前記結束紙幣集積部に集積された端数紙幣を搬送する際、前記結束紙幣集積部の搬送路の幅を前記端数紙幣に合せるよう前記集積部搬送ベルトを制御し、さらに前記紙幣結束部の搬送路の幅を前記結束紙幣集積部の搬送路と略同じ幅になるよう前記結束部搬送ベルトを制御する、紙幣処理装置。
【請求項２】
紙幣を結束する紙幣結束部と、
前記紙幣結束部により結束された紙幣を排出する小束出金口と、
前記紙幣結束部により結束される紙幣が集積される結束紙幣集積部と、
前記結束紙幣集積部に集積された紙幣が結束単位枚数に満たない端数紙幣の場合は、前記結束紙幣集積部に集積されている端数紙幣を非結束状態で排出するよう制御する制御部と、
を備え、
前記制御部は、管理権限を有する者以外の操作者による指示の場合、管理権限を有する者による管理者認証を行った後に、前記端数紙幣の排出制御を行う、紙幣処理装置。
【請求項３】
紙幣を結束する紙幣結束部と、
前記紙幣結束部により結束された紙幣を排出する小束出金口と、
前記紙幣結束部により結束される紙幣が集積される結束紙幣集積部と、
前記結束紙幣集積部に集積された紙幣が結束単位枚数に満たない端数紙幣の場合は、前記結束紙幣集積部に集積されている端数紙幣を非結束状態で排出するよう制御する制御部と、
を備え、
前記制御部は、前記端数紙幣の排出後、前記端数紙幣の取扱い方法を選択する選択画面を表示する、紙幣処理装置。
【請求項４】
前記制御部は、前記選択画面において前記端数紙幣の抜取りが選択された場合は、前記端数紙幣の抜取情報を記憶する、請求項３に記載の紙幣処理装置。
【発明の詳細な説明】
【技術分野】
【０００１】
本発明は、紙幣処理装置に関する。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば紙幣入出金機から入金された紙幣の種別を判別し、種別毎に集積した所定枚数（例えば１００枚）の紙幣を施封して紙幣小束を排出する機能を有する。
【０００４】
例えば下記特許文献１では、搬送された紙幣を順に積み重ねて集積する帯封用集積部と、帯封用集積部に所定枚数Ｎの紙幣が集積されると、そのＮ枚の集積紙幣をテープで結束するための帯封装置が開示されている。
【先行技術文献】
【特許文献】
【０００５】
【特許文献１】ＷＯ２００９−１１８８３９号公報
【発明の概要】
【発明が解決しようとする課題】
【０００６】
しかしながら、小束を作成する施封部は所定枚数単位での処理が前提となっており、紙幣の枚数不足やジャム等で所定枚数の紙幣が搬送されない事象（障害）が発生した場合、施封するための紙幣が集積される施封紙幣集積部に残留した端数紙幣を操作者が手動で抜き取る必要があり、手間がかかっていた。
【０００７】
また、施封紙幣集積部から残留した端数紙幣を紙幣カセットに戻す機構を実装すると装置サイズを大きくなってしまう。
【０００８】
そこで、本発明は、上記問題に鑑みてなされたものであり、本発明の目的とするところは、装置の小型化を実現しつつ、施封ユニットに残留した端数紙幣を自動的に排出することが可能な、新規かつ改良された紙幣処理装置を提供することにある。
【課題を解決するための手段】
【０００９】
上記課題を解決するために、本発明のある観点によれば、紙幣を結束する紙幣結束部と、前記紙幣結束部により結束された紙幣を排出する小束出金口と、前記紙幣結束部により結束される紙幣が集積される結束紙幣集積部と、前記結束紙幣集積部に集積された紙幣が結束単位枚数に満たない端数紙幣の場合は、前記結束紙幣集積部に集積されている端数紙幣を非結束状態で排出するよう制御する制御部と、を備え、前記結束紙幣集積部の搬送路を形成する集積部搬送ベルトおよび前記紙幣結束部の搬送路を形成する結束部搬送ベルトは、紙幣を搬送する方向に対して略垂直方向に可動であって、前記制御部は、前記結束紙幣集積部に集積された端数紙幣を搬送する際、前記結束紙幣集積部の搬送路の幅を前記端数紙幣に合せるよう前記集積部搬送ベルトを制御し、さらに前記紙幣結束部の搬送路の幅を前記結束紙幣集積部の搬送路と略同じ幅になるよう前記結束部搬送ベルトを制御する、紙幣処理装置が提供される。
【００１２】
また、上記課題を解決するために、本発明の他の観点によれば、紙幣を結束する紙幣結束部と、前記紙幣結束部により結束された紙幣を排出する小束出金口と、前記紙幣結束部により結束される紙幣が集積される結束紙幣集積部と、前記結束紙幣集積部に集積された紙幣が結束単位枚数に満たない端数紙幣の場合は、前記結束紙幣集積部に集積されている端数紙幣を非結束状態で排出するよう制御する制御部と、を備え、前記制御部は、管理権限を有する者以外の操作者による指示の場合、管理権限を有する者による管理者認証を行った後に、前記端数紙幣の排出制御を行う、紙幣処理装置が提供される。
【００１３】
また、上記課題を解決するために、本発明の他の観点によれば、紙幣を結束する紙幣結束部と、前記紙幣結束部により結束された紙幣を排出する小束出金口と、前記紙幣結束部により結束される紙幣が集積される結束紙幣集積部と、前記結束紙幣集積部に集積された紙幣が結束単位枚数に満たない端数紙幣の場合は、前記結束紙幣集積部に集積されている端数紙幣を非結束状態で排出するよう制御する制御部と、を備え、前記制御部は、前記端数紙幣の排出後、前記端数紙幣の取扱い方法を選択する選択画面を表示する、紙幣処理装置が提供される。
【００１４】
前記制御部は、前記選択画面において前記端数紙幣の抜取りが選択された場合は、前記端数紙幣の抜取情報を記憶してもよい。
【発明の効果】
【００１５】
以上説明したように本発明によれば、装置の小型化を実現しつつ、施封ユニットに残留した端数紙幣を自動的に排出することが可能である。
【図面の簡単な説明】
【００１６】
【図１】本発明の実施形態である現金処理装置の外観構成を示した説明図である。
【図２】本実施形態による現金処理装置の内部構成を示すブロック図である。
【図３】本実施形態による紙幣処理部の内部構成を示した説明図である。
【図４】施封ユニットにおける束搬送を説明する図である。
【図５】施封ユニットにおける端数紙幣の搬送を説明する図である。
【図６】本実施形態の第１の実施例による出金取引の動作を示すフローチャートである。
【図７】本実施形態の第２の実施例による出金取引の動作を示すフローチャートである。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
本発明は、以下本明細書において詳細に説明するような多様な形態で実施され得る。また、本実施形態による紙幣処理装置（現金処理装置１０）は、
Ａ．紙幣を結束する紙幣結束部（施封部８）と、
Ｂ．前記紙幣結束部により結束された紙幣を排出する小束出金口（シャッタ９）と、
Ｃ．前記紙幣結束部により結束される紙幣が集積される結束紙幣集積部（施封紙幣集積部７）と、
Ｄ．前記結束紙幣集積部に集積された紙幣が結束単位枚数に満たない端数紙幣の場合は、前記結束紙幣集積部に集積されている端数紙幣を非結束状態で排出するよう制御する制御部（１７）と、
を有する。
【００１９】
このような現金処理装置１０について、まずは概要を説明する。
【００２０】
＜１．現金処理装置の概要＞
［１−１．現金処理装置の外観構成］
図１は、本発明の実施形態である現金処理装置１０の外観構成を示した説明図である。本実施形態による現金処理装置１０は、図１に示すように、装置正面右側に紙幣投入口１１ａおよび紙幣異物返却口１１ｂが設けられ、装置正面左側に硬貨投入口１２ａ、硬貨リジェクト口１２ｂ、硬貨返却口１２ｃ、釣銭出金口１２ｄ、および硬貨出金口１２ｅが設けられ、装置上側にカード挿入排出口１３ａ、印字部（レシートプリンタ）１４、表示部１６、および小束出金口（シャッタ９）が設けられている。
【００２１】
紙幣投入口１１ａは、入金取引における紙幣の投入口および出金取引における紙幣の受取口である。紙幣異物返却口１１ｂは、紙幣投入口１１ａに誤って投入された硬貨等の異物を返却する。
【００２２】
硬貨投入口１２ａは、入金取引における硬貨の投入口である。硬貨リジェクト口１２ｂは、硬貨投入口１２ａから投入された硬貨のうち、計数において硬貨鑑別部（不図示）により異常と認識された硬貨が返却される返却口である。硬貨返却口１２ｃは、計数済み硬貨の返却口である。釣銭出金口１２ｄは、計数された釣銭の受取口である。硬貨出金口１２ｅは、出金取引における出金硬貨の受取口である。
【００２３】
カード挿入排出口１３ａは、管理者等の操作者（オペレータ）のカードの挿入および排出を行う。
【００２４】
印字部（レシートプリンタ）１４は、取引明細等を印字したレシートの排出を行う。
【００２５】
表示部１６は、操作画面や取引内容を表示する。表示部１６は、例えばタッチパネルにより実現され、操作部１５（図２参照）としても機能する。また、図１に示すように、表示部１６の隣にはテンキーが設けられている。
【００２６】
小束出金口（シャッタ９）は、施封部８（図３参照）により施封された小束紙幣の排出を行う。
【００２７】
以上説明した現金処理装置１０は、例えば金融機関の営業店において接客用カウンタの後方に設置され、金銭に関する入金や出金等の各種処理を総合的に実行する。
【００２８】
［１−２．現金処理装置の内部構成］
次に、図２を参照して本実施形態による現金処理装置１０の内部構成について説明する。図２は、本実施形態による現金処理装置１０の内部構成を示すブロック図である。
【００２９】
図２に示すように、現金処理装置１０は、紙幣処理部１１、硬貨処理部１２、カードリーダ部１３、印字部１４、操作部１５、表示部１６、制御部１７、および記憶部１８を有する。
【００３０】
紙幣処理部１１は、紙幣投入口１１ａから投入される入金紙幣を鑑別、計数して紙幣収納部に収納する入金処理、および指定された金種、金額の紙幣を紙幣収納部から繰り出して鑑別、計数した後、紙幣投入口１１ａから出金する出金処理を行う。また、紙幣処理部１１は、施封部８（図３参照）を有し、施封部８により所定枚数の紙幣を施封して小束出金口（シャッタ９）から小束紙幣を出金する。また、紙幣処理部１１は、紙幣投入口１１ａに誤って投入された硬貨等の異物を紙幣異物返却口１１ｂから返却する。
【００３１】
硬貨処理部１２は、硬貨投入口１２ａから投入される入金硬貨を鑑別、計数して硬貨収納部に収納する入金処理、および指定された金種、金額の硬貨を硬貨収納部から繰り出して鑑別、計数した後、硬貨出金口１２ｅから出金する出金処理を行う。また、硬貨処理部１２は、上述した硬貨リジェクト口１２ｂ、硬貨返却口１２ｃ、および釣銭出金口１２ｄを有する。
【００３２】
カードリーダ部１３は、カード挿入排出口１３ａから挿入された管理者や操作者のカードからデータを読み取り、装置へのログインやオペレータ認識等を行う。また、カードリーダ部１３は、取引終了後にカード挿入排出口１３ａからカードを排出する。
【００３３】
印字部１４は、上述したように、取引終了後に取引内容を印字した明細票（レシート）を排出する。
【００３４】
操作部１５は、管理者や操作者の操作を検出する。例えば、操作部１５は、タッチパネルおよびテンキーにより実現される。
【００３５】
表示部１６は、上述したように、操作画面や取引内容を表示する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３６】
なお、図１においては表示部１６と操作部１５が一体的に構成される例（すなわちタッチパネルディスプレイ）を示しているが、表示部１６および操作部１５の機能は分離して構成されてもよい。
【００３７】
制御部１７は、記憶部１８に格納されている制御プログラムに基づいて現金処理装置１０の各構成を制御する。また、制御部１７は、記憶部１８に格納されている画面を表示部１６に表示して各種の取引を遂行する。また、本実施形態による制御部１７は、紙幣処理部１１の搬送路６ａ〜６ｎ（図３参照）を制御することにより、入金、集積、出金および紙幣移動などの基本動作を制御する。
【００３８】
記憶部１８は、取引時における入力データ等を記憶する他、現金処理装置１０の動作を制御するための制御プログラムが格納されている。また、取引選択画面、各取引における処理ステップ毎の案内画面、および入力画面等も記憶部１８に格納されている。
【００３９】
本発明の実施形態は、上述した現金処理装置１０の紙幣処理部１１で行われる小束施封処理に関する。以下、本実施形態による紙幣処理部１１の構成を説明した後に、本発明の実施形態による施封ユニットの構成について詳細に説明する。
【００４０】
＜２．紙幣処理部１１の構成＞
図３は、紙幣処理部１１の内部構成を示した説明図である。図３に示したように、紙幣処理部１１は、接客口１９を含む接客部１、鑑別部２、一時保留部３、紙幣カセット４ａ〜４ｄ、リジェクト庫５、搬送路６ａ〜６ｍ、施封紙幣集積部７（結束紙幣集積部）、施封部８（紙幣結束部）、およびシャッタ９（小束出金口）を備える。なお図３に示す紙幣処理部１１は側面図であって、右側が装置正面となっている。
【００４１】
接客部１は、入金取引時に操作者により紙幣投入口１１ａから接客口１９に投入された（入金された）紙幣を分離したり、出金取引時に操作者に出金する紙幣を集積したりするための構成である。
【００４２】
鑑別部２は、操作者の入金した紙幣、または操作者に出金する紙幣の鑑別を行う。具体的には、鑑別部２は、搬送路６を通って搬送された紙幣の金種、真偽、正損および走行状態などを鑑別する。
【００４３】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどに搬送され、入金した紙幣の口座計上などが確定し、取引が成立する。また、一時保留部３は、紙幣カセット４ａ〜４ｄ間の紙幣移動の際にも用いられる。
【００４４】
紙幣カセット４ａ〜４ｄは、操作者の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理部１１に対して着脱可能な構造になっており、個別に交換することで紙幣カセット４ａ〜４ｄに紙幣を装填することも可能である。
【００４５】
リジェクト庫５は、出金取引時または入金取引時に鑑別部２によって金種不明と鑑別された入金、支払不可の紙幣を集積する。
【００４６】
搬送路６ａ〜６ｎは、紙幣を搬送するための構成である。各搬送路６ａ〜６ｎは、制御部１７による制御に従ってＤＣサーボモータまたはパルスモータなどが回転することにより、紙幣を目的の搬送先に搬送することが可能である。
【００４７】
施封紙幣集積部７は、施封部８により施封される紙幣が集積される紙幣集積部である。施封紙幣集積部７は、施封する所定枚数（例えば１００枚）の紙幣を集積後、施封部８に紙幣を搬送する。
【００４８】
施封部８は、施封紙幣集積部７から搬送された所定枚数の紙幣をテープで結束（施封）し、結束した小束紙幣をシャッタ９から排出する。
【００４９】
シャッタ９は、施封部８により施封された小束紙幣を排出する小束出金口であって、施封部８により小束紙幣が排出される際に開き、操作者が小束紙幣を受け取ると閉じる。
【００５０】
上述した施封紙幣集積部７、施封部８、およびシャッタ９は、図３に示すように、紙幣処理部１１の上方、より具体的には、接客部１、鑑別部２、一時保留部３、紙幣カセット４ａ〜４ｄ、リジェクト庫５、および搬送路６ａ〜６ｍよりも上部に配置されている。このように、施封紙幣集積部７および施封部８を上部に設けることで、操作者は立ったまま小束を受け取ることができ、作業の利便性を向上させることができる。また、本実施形態では、図３に示すように、施封紙幣集積部７と施封部８を共に１つずつ設けることで、省スペース化を図ることができる。上記特許文献１（ＷＯ２００９−１１８８３９号公報）のように２つの施封紙幣集積部が設けられている場合、例えば一方に表紙幣、他方に裏紙幣を搬送して表裏を揃えることも可能であるが、本実施形態では省スペース化を実現するために施封紙幣集積部が１つであっても施封紙幣の表裏を揃えることができる。
【００５１】
なお図３には図示しないが、搬送路６ａ〜６ｎが搬送する紙幣や、各分離部（具体的には、接客部１、一時保留部３、紙幣カセット４ａ〜４ｄ、リジェクト庫５）から分離される紙幣の通過、到達は、搬送路６上や各分離部に設けられている光学センサの検知結果に基づいて制御部１７により判断される。また、目的の搬送先に搬送するために搬送路の分岐にはブレードが実装され、制御部１７は当該ブレードを切り替えることで紙幣を所定の搬送先へ搬送させる。
【００５２】
また、本実施形態による紙幣処理部１１は、紙幣の表裏を反転させるためだけの従来の表裏反転機構を有さないことで、装置サイズを小さくすることができる。
【００５３】
（基本動作）
入金取引においては、まず、接客部１から紙幣が１枚ずつ分離され、分離された紙幣は搬送路６ａを経て鑑別部２に搬送される。そして、鑑別部２による鑑別結果が正常であった紙幣は搬送路６ｃおよび６ｄを経て一時保留部３に集積される。一方、鑑別部２による鑑別結果が異常であった紙幣は搬送路６ｃおよび６ｅを経て接客部１に集積される。その後、操作者により入金金額の確認操作が行われると、集積処理に移行する。
【００５４】
集積処理においては、まず、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て金種に対応する紙幣カセット４ａ〜４ｄに集積される。一方、汚損券、折れ紙幣、二千円札、スキュー紙幣などの走行異常紙幣のように、鑑別部２による鑑別結果が異常であった紙幣は、搬送路６ｇおよび６ｌを経てリジェクト庫５に集積される。
【００５５】
紙幣移動においては、まず、紙幣カセット４ａ〜４ｄのうちの移動元の紙幣カセットから紙幣が分離され、分離された紙幣は搬送路６ｆ〜６ｋ、６ｂを経て鑑別部２に搬送される。そして、鑑別部２による鑑別結果が正常であった紙幣は搬送路６ｃおよび６ｄを経て一時保留部３に搬送される。一方、鑑別部２による鑑別結果が異常であった紙幣は、搬送路６ｃおよび６ｍを経てリジェクト庫５に集積される。
【００５６】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクト庫５に集積される。
【００５７】
通常の出金取引においては、まず、操作者により指定された金額に応じて紙幣カセット４ａ〜４ｄから紙幣が１枚ずつ分離され、分離された紙幣は搬送路６ｆ〜６ｋおよび６ｂを経て鑑別部２に搬送される。
【００５８】
そして、鑑別部２による鑑別結果が正常であった紙幣は、搬送路６ｃおよび６ｅを経て接客部１に集積される。一方、鑑別部２による鑑別結果が異常であった紙幣、すなわち、操作者に支払いできない紙幣は、搬送路６ｃおよび６ｍを経てリジェクト庫５に集積される。
【００５９】
小束紙幣の出金取引においては、まず、操作者により指定された金種および束数（または枚数）に応じて紙幣カセット４ａ〜４ｄから紙幣が１枚ずつ分離され、分離された紙幣は搬送路６ｆ〜６ｋおよび６ｂを経て鑑別部２に搬送される。
【００６０】
そして、鑑別部２による鑑別結果が正常であり、かつ表裏が所定の状態である紙幣（表の面が上になった表紙幣、裏の面が上になった裏紙幣）は、搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００６１】
整理施封取引においては、まず、接客部１から紙幣が１枚ずつ分離され、分離された紙幣は搬送路６ａを経て鑑別部２に搬送される。そして、鑑別部２による鑑別結果が正常であり、指定された金種であって、かつ表裏が所定の状態である紙幣は搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００６２】
（施封ユニットの課題）
しかし、上述した施封紙幣集積部７および施封部８を含む施封ユニットにおいて、小束を作成する施封部８は所定枚数単位での処理が前提となっており、紙幣の枚数不足やジャム等で所定枚数の紙幣が搬送されない事象（障害）が発生した場合、施封できなくなる。そして、既に施封紙幣集積部７に集積した紙幣は施封しない端数紙幣となり、この端数紙幣は操作者が装置を移動させたり、回動部を開けたりして手動で抜き取る必要があり、手間がかかっていた。
【００６３】
より具体的には、施封紙幣集積部７および施封部８を含む施封ユニットを現金処理装置１０から引き出し（例えば図１に示すシャッタ９が設けられている部分を手前側に引き出し）、施封紙幣集積部７の内部に残留している端数紙幣を抜き取る必要があった。
【００６４】
また、施封紙幣集積部７から残留した端数紙幣を紙幣カセットに戻す機構を実装すると装置サイズが大きくなってしまう。
【００６５】
そこで、上記事情を一着眼点にして本発明の実施形態による現金処理装置１０を創作するに至った。本発明の実施形態による現金処理装置１０は、装置の小型化を実現しつつ、施封ユニットに残留した端数紙幣を自動的に排出することが可能である。以下、このような本発明の実施形態による施封ユニットについて詳細に説明する。
【００６６】
＜３．施封ユニットの構成＞
図４は、施封ユニットにおける束搬送を説明する図である。図４に示すように、施封ユニットに含まれる施封紙幣集積部７および施封部８は、施封紙幣集積部７の紙幣排出口と施封部８の紙幣受入口が隣接するよう配置されている。また、施封紙幣集積部７には図示しないがカウンタが設けられており、施封紙幣集積部７に集積された紙幣の枚数をカウントする。
【００６７】
施封紙幣集積部７は、１以上の搬送ベルト７０、７１、アッパガイド７３、集積ガイド７４、シャッタ７５、および集積ステージ７６を有する。集積ステージ７６には、図３に示す搬送路６ｎから搬送された紙幣３０が順に集積され、制御部１７の制御に従って下降していき、所定施封枚数（例えば１００枚）の紙幣が集積され得る。所定施封枚数に達したか否かは施封紙幣集積部７のカウンタが計数した枚数に基づいて判断される。
【００６８】
アッパガイド７３は施封紙幣集積部７の上側に設けられた可動式の板状部材であって、１以上の搬送ベルト７０を支持している。また、アッパガイド７３には、集積ガイド７４が回動可能に取り付けられている。集積ガイド７４は、何ら力が加えられていない場合は搬送ベルト７０に対して傾斜する姿勢に維持され、図４（ａ）に示すように、搬送路６ｎから搬送された紙幣を集積ステージ７６に集積する上側ガイドとして機能する。また、シャッタ７５は、施封紙幣集積部７から施封部８に紙幣を搬送して排出する紙幣排出口を開閉する。
【００６９】
集積ステージ７６が徐々に下降し紙幣が１００枚集積されると、図４（ｂ）に示すように、搬送ベルト７０、アッパガイド７３、および集積ガイド７４が下降し（より具体的にはアッパガイド７３が制御部１７の制御にしたがって下降することで、アッパガイド７３に支持されている搬送ベルト７０および集積ガイド７４も下降する）、集積紙幣の上面を押さえる。この際、集積ガイド７４は集積紙幣の上面に接して押され、搬送ベルト７０側へ回動する。また、集積ステージ７６に所定枚数が集積されて搬送ベルト７０が下降したとき、搬送ベルト７０は施封部８の搬送ベルト８０と略同じ高さに位置する。
【００７０】
そして、図４（ｃ）に示すように、施封紙幣集積部７の紙幣排出口に設けられているシャッタ７５が、制御部１７の制御に従って回動し、紙幣排出口を開放する。搬送ベルト７０、７１は、制御部１７の制御に従って駆動し、搬送ベルト７０、７１で集積紙幣を挟みつつ施封部８へ束搬送する。施封部８の搬送ベルト８０、８１も、制御部１７の制御に従って駆動し、施封紙幣集積部７から束搬送された紙幣を受け入れる。この時、施封部８の搬送ベルト８０、８１の幅は、施封紙幣集積部７の搬送ベルト７０、７１の幅と同様であるため、施封紙幣集積部７から束搬送された集積紙幣を搬送ベルト８０、８１で挟みつつ受け入れることができる。このように、搬送ベルト７０、７１および搬送ベルト８０、８１は、紙幣を搬送する方向に対して略垂直方向に可動である。
【００７１】
なお施封部８では、図示しない機構により集積紙幣に対して施封を行って小束を作成し、作成した小束を搬送ベルト８０、８１で搬送し、シャッタ９（小束出金口）から排出する。
【００７２】
以上、施封紙幣集積部７に所定枚数の紙幣が正常に集積された場合における束搬送について説明した。ここで、上述したように、従来は施封ユニットに所定枚数の紙幣が集積されることを前提として動作していたため、紙幣の枚数不足やジャム等で所定枚数の紙幣が搬送されない事象が発生した場合、動作が停止し、施封ユニットに残留した端数紙幣を手動で抜き取る必要があった。そこで、本実施形態では、施封ユニットに所定枚数の紙幣が集積されていない場合であっても端数紙幣を自動排出することで操作者の手間を軽減させることができる。このような端数紙幣の自動排出を行う際の動作について、以下図５を参照して説明する。
【００７３】
図５は、本実施形態による施封ユニットにおける端数紙幣の搬送を説明する図である。図５（ａ）に示すように、まず、集積ステージ７６に、搬送路６ｎから搬送された紙幣３０が順に集積される。
【００７４】
次いで、所定枚数の紙幣が集積する前に紙幣の繰り出しが終了し、施封紙幣集積部７に端数残留が生じた場合、図５（ｂ）に示すように、搬送ベルト７０、アッパガイド７３、および集積ガイド７４は、制御部１７の制御に従って下降し、集積紙幣の上面を押さえる。
【００７５】
この際、施封部８の搬送ベルト８０も下降し、施封紙幣集積部７の搬送ベルト７０と同じ高さに位置するよう制御部１７により制御される。これにより、施封紙幣集積部７の搬送ベルト７０、７１の幅と、施封部８の搬送ベルト８０、８１の幅は同じとなる。
【００７６】
そして、図５（ｃ）に示すように、施封紙幣集積部７の紙幣排出口に設けられているシャッタ７５が、制御部１７の制御に従って回動し、紙幣排出口を開放すると、搬送ベルト７０、７１が駆動して端数紙幣を挟みつつ施封部８へ搬送する。上述したように、施封部８の搬送ベルト８０、８１の幅は、施封紙幣集積部７の搬送ベルト７０、７１の幅と同様であるため、施封部８は、施封紙幣集積部７から搬送された端数紙幣を搬送ベルト８０、８１で挟みつつ受け入れることができる。施封部８は、搬送ベルト８０、８１で端数紙幣の搬送を継続し、施封部８の右側に位置するシャッタ９から排出する。
【００７７】
以上説明したように、本実施形態による施封ユニットでは、施封紙幣集積部７に端数紙幣が残留している場合でも施封紙幣集積部７から施封部８へ紙幣を搬送することができる。具体的には施封部８の搬送ベルト８０が、施封紙幣集積部７で端数紙幣を押さえる高さまで下降した搬送ベルト７０と同じ高さに位置するよう可動する構成とすることで、端数紙幣を施封紙幣集積部７から受け取り、そのまま施封部８へ搬送して排出する。これにより、施封ユニットに残留した端数紙幣を操作者が施封ユニットを取り外して手作業で取り除く必要がなくなる。
【００７８】
続いて、上述した端数紙幣の自動排出が可能な現金処理装置１０における出金取引の動作について、複数の実施例を用いて説明する。
【００７９】
＜４．出金取引＞
［４−１．第１の実施例］
図６は、本実施形態の第１の実施例による出金取引の動作を示すフローチャートである。図６に示すように、まず、小束出金が有る場合は紙幣カセット４から施封金種紙幣が分離され施封紙幣集積部７へ搬送されるが、施封紙幣集積部７に集積された紙幣が所定枚数（例えば１００枚）に満たない状態で紙幣の分離が終了すると、施封紙幣集積部７に端数残留有りと検知される（Ｓ１００）。
【００８０】
次に、制御部１７は、施封紙幣集積部７に端数残留が有ることを表示部１６に表示するよう制御する（Ｓ１０２）。
【００８１】
次いで、操作者が装置内部の紙幣へアクセスする権限を持つ管理者でない場合（Ｓ１０４において「Ｎｏ」）、制御部１７は、カードリーダ部１３または操作部１５からの入力情報に従って管理者認証を行う。具体的には、制御部１７は、管理者認証のため管理者カードをカード挿入排出口１３ａに挿入するよう促す表示や、管理者のＩＤやパスワードを入力する画面を表示部１６に表示し、管理者認証を行う。なお操作者が元々管理者である場合（Ｓ１０４において「Ｙｅｓ」）、再度の管理者認証は省略してもよい。
【００８２】
管理者認証が確認された後、制御部１７は、施封ユニットから端数紙幣を排出するよう制御する（Ｓ１０８）。具体的には、図５を参照して説明したように、施封紙幣集積部７のアッパガイド７３が制御部１７の制御にしたがって下降することで、アッパガイド７３に支持されている搬送ベルト７０および集積ガイド７４も下降し、端数紙幣を押さえる状態となる。一方、施封部８においても同様に搬送ベルト８０が下降し、施封紙幣集積部７の搬送ベルト７０と略同じ高さに制御される。そして、施封紙幣集積部７の搬送ベルト７０、７１で挟まれた状態の端数紙幣が施封部８へ搬送され、施封部８においても同様に搬送ベルト８０、８１で端数紙幣を挟んで搬送し、シャッタ９から排出される。このように、施封ユニットに残留した端数紙幣が自動的にシャッタ９から排出されることで、操作者は手作業で端数紙幣を取り除く手間がなくなる。
【００８３】
続いて、操作者によって排出した端数紙幣が受け取られた後（Ｓ１１０）、端数紙幣は操作者により装置内に戻される（Ｓ１１２）。具体的には、接客部１に端数紙幣が投入される。この際、制御部１７は、接客部１に投入された紙幣を分離し、搬送路６ａを経て鑑別部２へ搬送し、正常であれば搬送路６ｃおよび６ｄを経て一時保留部３へ搬送し、異常であれば搬送路６ｃおよび６ｅを経て接客部１へ返送する。
【００８４】
次いで、制御部１７は、一時保留部３から搬送路６ｄおよび６ｃを経て紙幣を鑑別部２へ搬送し、鑑別結果にしたがって、各金種に対応する紙幣カセット４へ搬送する（Ｓ１１４〜Ｓ１２０）。具体的には、例えば万券であれば搬送路６ｂ、６ｆ、６ｇ、および６ｋを経て万券の紙幣カセット４ｄへ搬送し（Ｓ１１６）、五千券であれば搬送路６ｂ、６ｆ、６ｇ、および６ｊを経て五千券の紙幣カセット４ｃへ搬送し（Ｓ１１８）、千券であれば搬送路６ｂ、６ｆ、６ｇ、および６ｉを経て千券の紙幣カセット４ｂへ搬送する（Ｓ１２０）。
【００８５】
以上説明したように、第１の実施例によれば、施封紙幣集積部７に所定枚数に満たない端数紙幣が残留した場合に、装置を開けて手動で抜き取る必要や、施封紙幣集積部７に装置内へ紙幣を戻す機構を実装する必要がなく、端数紙幣を自動排出でき、また、端数紙幣が接客部１から投入された場合には紙幣カセット４へ戻すことができる。
【００８６】
なお、施封紙幣集積部７へ紙幣を搬送するために鑑別部２を通過した際に出金計数（減算）が行われ、装置内に端数紙幣が戻されて鑑別部２を通過した際に入金計数（加算）が行われ得る。
【００８７】
［４−２．第２の実施例］
続いて、本実施形態の第２の実施例について説明する。上述した第１の実施例では、施封ユニットから排出された端数紙幣が接客部１から装置内に戻されることを前提としており、紙幣を紙幣カセット４へ戻す処理を行うまで次の取引を開始することができないが、端数紙幣が抜き取られた状態のままとすることが可能であれば、端数紙幣の排出後、すぐに次の取引が継続可能となる。そのため、端数紙幣の取扱い方法を選択する選択画面を表示する。選択画面で抜取りが選択された場合、端数紙幣が抜き取られた状態のままとすることが可能な第２の実施例による出金取引について、以下図７を参照して説明する。
【００８８】
図７は、本実施形態の第２の実施例による出金取引の動作を示すフローチャートである。図７に示すように、まず、ステップＳ２００〜Ｓ２１０において、図６に示した第１の実施例によるステップＳ１００〜Ｓ１１０と同様の処理が行われる。すなわち、施封ユニットに端数紙幣が残留した場合（Ｓ２００）、管理者認証を行った上で端数紙幣をシャッタ９から排出して、操作者により受け取られる（Ｓ２０２〜Ｓ２１０）。
【００８９】
次いで、制御部１７は、端数紙幣を装置内に戻すか、そのまま抜き取るかを選択する選択画面を表示部１６に表示する（Ｓ２１１）。
【００９０】
端数紙幣を装置内に戻す「返却」が選択された場合は（Ｓ２１２において「Ｙｅｓ」）、第１の実施例と同様に、接客部１から操作者により端数紙幣が投入され（Ｓ２１３）、制御部１７は、接客部１に投入された紙幣を分離して、搬送路６ａを経て鑑別部２へ搬送し、正常であれば搬送路６ｃおよび６ｄを経て一時保留部３へ搬送し、異常であれば搬送路６ｃおよび６ｅを経て接客部１へ返送する。
【００９１】
次いで、制御部１７は、一時保留部３から搬送路６ｄおよび６ｃを経て紙幣を鑑別部２へ搬送し、鑑別結果にしたがって、各金種に対応する紙幣カセット４へ搬送する（Ｓ２１４〜Ｓ２２０）。具体的には、例えば万券であれば搬送路６ｂ、６ｆ、６ｇ、および６ｋを経て万券の紙幣カセット４ｄへ搬送し（Ｓ２１６）、五千券であれば搬送路６ｂ、６ｆ、６ｇ、および６ｊを経て五千券の紙幣カセット４ｃへ搬送し（Ｓ２１８）、千券であれば搬送路６ｂ、６ｆ、６ｇ、および６ｉを経て千券の紙幣カセット４ｂへ搬送する（Ｓ２２０）。
【００９２】
一方、選択画面において、そのまま紙幣を抜き取る「抜取」が選択された場合（Ｓ２１２において「Ｎｏ」）、制御部１７は、端数紙幣が管理者により装置から抜き取られたことを抜取情報として記憶部１８に記憶する（Ｓ２２２）。具体的には、制御部１７は、管理者に関する情報（氏名、識別番号等）や、抜き取られた端数紙幣の金種、枚数等を、抜取情報として記憶する。なお抜取情報の記憶は、制御部１７により自動的に記憶してもよいし、「抜取」が選択された際に抜取情報の入力画面を表示し、操作者により手動で入力させてもよい。
【００９３】
このように、第２の実施例によれば、端数紙幣が装置から抜き取られた状態のままとすることができるので、端数紙幣の排出後、すぐに次の取引が継続可能となる。また、抜取情報を記憶しておくことで、誰がどのような権限で装置から端数紙幣を抜き取ったかを確認することができる。
【００９４】
＜５．むすび＞
以上説明したように、本発明の実施形態によれば、装置の小型化を実現しつつ、施封ユニットに残留した端数紙幣を自動的に排出することができる。
【００９５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９６】
例えば、上記第１、第２の実施例では紙幣カセット４から紙幣を束出金する出金取引について説明したが、本実施形態はこれに限定されない。例えば、整理施封取引において施封紙幣集積部７に所定枚数の紙幣が集積されていない状態で障害が発生した場合に、施封紙幣集積部７に集積された端数紙幣を、同様に施封部８を介して排出することが可能である。
【００９７】
また、本明細書の現金処理装置１０の処理における各ステップは、必ずしもフローチャートとして記載された順序に沿って時系列に処理する必要はない。例えば、現金処理装置１０の処理における各ステップは、説明した順序と異なる順序で処理されても、並列的に処理されてもよい。
【００９８】
また、現金処理装置１０に内蔵されるＣＰＵ、ＲＯＭおよびＲＡＭなどのハードウェアを、上述した現金処理装置１０の制御部１７と同等の機能を発揮させるためのコンピュータプログラムも作成可能である。また、該コンピュータプログラムを記憶させた記憶媒体も提供される。また、紙幣処理部１１、硬貨処理部１２に内蔵されるＣＰＵ、ＲＯＭおよびＲＡＭ等を実装している場合には、制御部１７と同様な機能を発揮させることもできる。
【符号の説明】
【００９９】
１      接客部
２      鑑別部
３      一時保留部
４ａ〜４ｄ  紙幣カセット
５      リジェクト庫
６ａ〜６ｎ  搬送路
７    施封紙幣集積部
８    施封部
９    シャッタ（小束出金口）
１０    現金処理装置
１１    紙幣処理部
１１ａ    紙幣投入口
１１ｂ    紙幣異物返却部
１２    硬貨処理部
１３    カードリーダ部
１４    印字部
１５    操作部
１６    表示部
１７    制御部
１８    記憶部
１９    接客口
３０    紙幣
７０、７１、８０、８１    搬送ベルト
７３    アッパガイ
７４    集積ガイド
７５    シャッタ
７６    集積ステージ
【図１】
0006451183.tif 000002
【図２】
0006451183.tif 000003
【図３】
0006451183.tif 000004
【図４】
0006451183.tif 000005
【図５】
0006451183.tif 000006
【図６】
0006451183.tif 000007
【図７】
0006451183.tif 000008